(57)【特許請求の範囲】
【請求項１】
少なくともひとつの揮発性物質の容器（１）と、前記容器（１）を閉じ気体状態の揮発性物質の通過を許容する弾性の半透過性膜（２）とを備えた揮発性物質拡散装置であって、該装置は前記膜（２）をふさぐため、および開放するために配置された少なくともひとつの移動可能な閉鎖壁（３）をさらに備え、
少なくとも１つの前記閉鎖壁は、前記閉鎖壁が前記膜に対して適用される場合に、前記膜が前記閉鎖壁の形をとることにより、前記膜の変形によって生じた前記膜と前記閉鎖壁との間の空間を補うような形に形成されていることを特徴とする揮発性物質拡散装置。
【請求項２】
前記閉鎖壁が内面に支台（３９）を有し、前記支台が前記容器の内部へ前記膜を押すように、前記閉鎖壁が移動可能である請求項１に記載の装置。
【請求項３】
前記閉鎖壁が柔軟な材料からできている請求項１または２のいずれか一項に記載の装置。
【請求項４】
前記閉鎖壁が前記膜の面に対して略垂直方向に移動可能である請求項１〜３のいずれか一項に記載の装置。
【請求項５】
前記閉鎖壁が弾性手段により前記膜に対して付勢されている請求項１〜４のいずれか一項に記載の装置。
【請求項６】
前記閉鎖壁の移動が、前記膜が閉鎖壁によって完全に覆われる閉鎖位置と、前記膜の全てが空気に接触する開放位置と、前記膜が前記閉鎖壁によって部分的に覆われる中間位置とによって確立されている請求項１〜５のいずれか一項に記載の装置。
【請求項７】
前記閉鎖壁が前記装置に枢動可能に設置されている請求項１〜６のいずれか一項に記載の装置。
【請求項８】
前記閉鎖壁を動かすための前記閉鎖壁に係合するネジ機構をさらに備える請求項１〜７のいずれか一項に記載の装置。
【請求項９】
前記閉鎖壁が前記膜の縦軸に対して横断するように移動可能である請求項１〜８のいずれか一項に記載の装置。
【請求項１０】
前記装置は前記閉鎖壁を動かすための電磁駆動部を備える請求項１〜９のいずれか一項に記載の装置。
【請求項１１】
前記装置は前記膜に対して空気の流れを生成するファンを備える請求項１〜１０のいずれか一項に記載の装置。
【請求項１２】
前記閉鎖位置において、前記閉鎖壁の前記支台が少なくとも部分的に前記容器の内部にある請求項６に記載の装置。
【請求項１３】
前記装置は揮発性物質の２つの容器と前記容器にそれぞれ接合された２つの膜とを備え、前記装置は前記膜の１つを選択的にふさぐように構成された２つの閉鎖壁を備える請求項１〜１２のいずれか一項に記載の装置。
【請求項１４】
前記装置は角度をなして接合された２つの閉鎖壁を備え、前記閉鎖壁が前記膜の１つを選択的にふさぐように構成されている請求項１３に記載の装置。
【請求項１５】
前記装置には固定構造に固定するための固定手段が設けられていることを特徴とする請求項１〜１４のいずれか一項に記載の装置。
【請求項１６】
前記装置はケーシングを備え、該ケーシングには空気の出入りを促進するための後部スロット、および/またはサイドスロットが設けられていることを特徴とする請求項１〜１５のいずれか一項に記載の装置。
【請求項１７】
２つ以上の揮発性物質の蒸発を調整する方法であって、該方法は、弾性の半透過性膜に接触するように前記揮発性物質を置くステップと、前記膜に空気を発射するステップと、および前記膜に対して閉鎖壁を選択的に適用することにより、各前記膜に作用する前記空気の流れを制御するステップとを備え、
少なくとも１つの前記閉鎖壁は、前記閉鎖壁が前記膜に対して適用される場合に、前記膜が前記閉鎖壁の形をとることにより、前記膜の変形によって生じた前記膜と前記閉鎖壁との間の空間を補うような形に形成されていることを特徴とする方法。
【発明の詳細な説明】
【技術分野】
【０００１】
本発明は透過性の膜に基づく揮発性物質拡散装置に関し、蒸発の停止、または開始それぞれのために堅い閉鎖壁を膜に適用、または膜から分離される。
【０００２】
改善点は、容器内の真空を可能にするよう補うために、閉じた場所における壁の位置が、膜の溶着フランジの下にあるということである。
【０００３】
第二の改善点は、装置が２つの容器および２つのそれぞれの密封システムを有し、芳香Ａ、芳香Ｂまたは２つの芳香の混合から選択することができるということである。装置は、好ましくは車の芳香剤である。
【背景技術】
【０００４】
従来技術に対するいくつかの既存の解決法が次の特許文献に示されている。特許文献１（図１ａ）、特許文献２（図１ｂ）、特許文献３（図１ｃ）。
【０００５】
異なる性質の揮発性物質を収容するための二つ以上の区画を有する膜付きの容器が最新の技術として知られている。これは、特許文献２、特許文献４、および特許文献３の事例である。
【０００６】
異なる容器の膜を通る２つの異なる揮発性物質の蒸発については、特許文献５に開示されているが、本発明の装置とは異なる目的のものである。
【０００７】
概して半透過性膜を通る揮発性物質の蒸発の使用に関する他の文献は、特許文献１、特許文献６、特許文献７、および特許文献８である。
【０００８】
上記全ての発明は、芳香Ａを放出すると同時に、容易に感知できる程度に芳香Ｂの蒸発を減らし、かつその逆も可能な手段、または使用者が任意に二つの芳香を混ぜる手段を提供するものではない。膜を通る使用中の物質の蒸発を減らすための既存の解決法は、カートリッジ（揮発性物質の容器）自体ではなく、カートリッジ周囲のハウジングを閉じることであり、その結果温度により起こる蒸発が発生することがあり、また
−囲いが完全な不透過性でない場合、ハウジングからの排出、または
−囲いが不透過性である場合、場合容器内での凝縮
を引き起こす。
【０００９】
既存の装置は、容易に感知できる程度に物質の蒸発を減らすための有効な手段を提供しない。本発明は、他の物質の蒸発が増えた場合に、容易に感知できる程度に物質の蒸発を減らすことができる。
【先行技術文献】
【特許文献】
【００１０】
【特許文献１】欧州特許第０９２３３８６号明細書
【特許文献２】欧州特許出願公開第１０８２９７０号明細書
【特許文献３】欧州特許出願公開第１６９８３５５号明細書
【特許文献４】国際公開第２００６０８４９２１号パンフレット
【特許文献５】特開平０２−２５２４６８号
【特許文献６】米国特許第５５７５９９２号
【特許文献７】国際公開第２００５０１４０６１号パンフレット
【特許文献８】国際公開第９７／４２９８２号パンフレット
【発明の概要】
【発明が解決しようとする課題】
【００１１】
本発明は、閉鎖環境における揮発性物質の蒸発のための装置に関し、この装置は、装置の簡素化および最大限に費用を減らす目的のために電力、加熱要素、または吸収芯を使用しないものの、同時に効率を維持し、かつ、使用者が蒸発させる芳香を任意に選択することも可能とする。この目的のために、蒸発装置は、蒸発させる製品の蒸発を引き起こすために働く要素として蒸気透過性の膜を使用する。この装置は特に、例えば車の通気出口などに、揮発性物質の蒸発および拡散を促進するのに適した温度の空気の流れと共に使用されることを意図している。揮発性物質は、芳香剤製品、殺虫剤または類似するものである。
【課題を解決するための手段】
【００１２】
蒸発装置は、揮発性物質の容器を閉じる蒸気透過性の膜を使用する。装置は、揮発性物質の蒸発および拡散を促進するのに適した温度の空気の流れと共に、例えば車の通気出口などに使用されることを特に意図している。
【００１３】
しかし、他の代替的な具現例においては、揮発性物質の蒸発および拡散を促進するためにファンまたはヒーターを膜に組み合わせることができる。
【００１４】
本発明の態様のひとつは、膜を有する容器全てに共通する特徴のひとつが、容器のひとつの面に膜が封じられているということである。したがって、膜のこの特に平らな周囲に対して平らな閉鎖壁を適用することにより、不透過の密閉性が達成される。閉鎖壁は、膜に向かって移動可能であり、膜と閉鎖壁との間の距離を徐々に減少させる。
【００１５】
本発明の第一の態様は、膜の変形を補うための前記閉鎖壁の設計に関する。この基本的な特徴に関する第一の改善は、（容器の内部）溶着面の下の溶着外周の内部に一致する区域に閉鎖壁が着くということである。
【００１６】
実際、以下に示すいくつかの要因によって膜が機械的に変形するために、透過性の膜は図２（ａ）に示すような完全に平らなプラスチックシートとは考えられない。
【００１７】
−内部に収容された化学製品によるプラスチックの部分的な可溶化によるプラスチック構造の弛緩。図２（ｂ）参照。
【００１８】
−（膜を通って出る揮発性物質が空気に置換されない場合）容器内部の真空の出現による内向きの変形（図２（ｃ））。図３ａの右の図において、膜と閉鎖壁との間の空間（３８）に蒸発した製品が蓄積することができることに注意するべきである。
【００１９】
−膜の機械抵抗を越える容器内部の化学物質の重量による外向きの変形（図２（ｄ））。
【００２０】
上記に述べたように、膜と囲みとの間にいくらかの空間を有するという問題によってこのような空間に蒸発が発生することが可能となり、温度および/または圧力の条件が変化した場合、これは、蒸気の凝縮および液体の蓄積をまねく可能性がある。閉鎖壁が後に開いた場合にこの液体が落ちる可能性がある。
【００２１】
図２に関し前述したように、閉鎖壁が容器の内部、つまり膜の理論上の位置の面の下に入るという事実は、膜を閉鎖壁の形に適合するように押しつけ、それにより閉じられた装置に自由空間を形成しないようにしていることを意味する。
【００２２】
したがって本発明は、閉鎖壁を適用することによって膜の密閉が行われる、膜を通じた芳香の装置に関する。壁の形は、膜の変形可能性を補うように構成されていることが好ましい。
【００２３】
本発明の他の態様は、二つ以上の揮発性物質の蒸発を調整する方法に関し、前記揮発性物質を二つ以上の蒸気透過性の材料の帯に接触させて置くステップと、前記帯に空気の流れを発射するステップと、前記帯に作用する空気の流れを制御するステップと、を備えることを特徴とする。
【００２４】
前記各帯に作用する空気の流れの制御は、前記区域より前に空気の流れが越えなければならない障害物を挿入または除去することにより行われることが好ましい。
【００２５】
したがって本発明は、以下の革新的な態様を提供する。
【００２６】
−革新的な切替器の存在、および切替器の革新的な形（透過性の帯の凹形状に合うための切替器の凸面）による、蒸発させる物質の選択可能性。
【００２７】
−使用者の任意により二つの芳香／物質を混合する可能性、要するに芳香の個人化の許容。装置は、芳香Ａのみ、芳香Ｂのみ、または所定の混合芳香Ａ＋Ｂが蒸発できるように、切替器のレバー行程に３つの安定した点を機械的に設定することができる。
【００２８】
−蒸発温度制御の新しい方法。
【００２９】
−詰め替え可能、または使い捨て可能。
【００３０】
前述の説明を補足し、好ましい実際的な実施形態による本発明の特徴のより良い理解に役立つために、説明的な、および限定しない特徴を有する前記説明の一部として以下に示す一連の図が添付される。
【図面の簡単な説明】
【００３１】
【図１】従来技術におけるいくつかの解決法を示す。
【図２】異なる要因によって膜が変形した、膜によって密封された容器のいくつかの側面図を示す。
【図３】閉鎖壁のいつくかの設計の概略側面図を示す。右列の図は、膜に適用された閉鎖壁を示す。
【図４】弾性要素によって付勢された閉鎖壁のいくつかの設計の概略側面図を示す。右列の図は、膜に適用された閉鎖壁を示す。
【図５】形を膜に適合させるために、閉鎖壁が変形可能であるいくつかの概略側面図を示す。右列の図は、膜に適用された閉鎖壁を示す。
【図６】矢印によって示されるように、進行性の方法にて閉鎖壁が膜に適用されるいくつかの概略図の順序を示す。
【図７】２つのカートリッジおよび２つの閉鎖壁を有する芳香装置の２つの概略側面図を示す。
【図８】好ましい実施形態のいくつかのイメージを示し、図（ａ）は側面図、図（ｂ）は正面図、図（ｃ）は切替器の位置が異なる図（ｂ）の線（Ａ−Ａ）に沿った２つの断面図からなり、図（ｄ）は上面図、図（ｅ）は芳香装置の斜視図（詰め替え剥離タブが左側から出ていることに注意）、および図（ｆ）は車の通気格子に固定された装置の斜視図（垂直：左、水平、右図）である。
【図９】本発明の好ましい実施形態による装置の２つの側面断面図を示し、図（ａ）は待機位置（閉）の装置を示し、図（ｂ）は動作中（開）の装置を示す。
【図１０】膜および閉鎖壁を有する容器の２つの側面図を示し、閉鎖壁は、同時に膜を押して膜を開閉するために軸（２９）に枢動可能に設置されている。閉鎖壁は手動または任意の作動機構によって動くことができる。
【図１１】膜とねじ機構によって動作する閉鎖壁とを有する容器の２つの側面図を示す。
【図１２】膜と関節式四辺形機構によって動作する閉鎖壁とを有する容器の２つの側面図を示す。
【図１３】説明のために装置のケースの一部を取り除き、容器がない状態の本発明の好ましい実施形態の斜視図を示す。
【図１４】図１３の装置の他の斜視図を示す。
【図１５】ケースがない図１３の装置の他の斜視図を示す。
【発明を実施するための形態】
【００３２】
図３は本発明による閉鎖壁（３）のいくつかの設計を示す。これは、以下の特徴を有する。
【００３３】
−膜が閉鎖壁（３）に対して圧力を加えられた場合に、膜（２）の内周に適合する外縁リブ。
【００３４】
−負の区域がない設計。例えば図３ｂおよび３ｃに示すような設計（例えば閉鎖壁が以下の形のひとつを有する内面を有している。三角形、台形、半球形、半楕円形…）。
【００３５】
−（乾燥状態の）膜のプラスチック材料の弾性限界以下の圧力を加えるために壁の形状が設計されている。
【００３６】
−（化学物質を有する状態の）膜のプラスチック材料の弾性限界以下の圧力を加えるために壁の形状が設計されている。
【００３７】
図４に示す代替的な具現例において、閉鎖壁の支持は、閉鎖壁（３）の圧力が膜の弾性限界を超えないようにする弾性要素（４）を有する。
【００３８】
弾性要素（４）は、固定要素（５）に接続された一端と、閉鎖壁（３）の外面に固定された他端とを有するバネとすることができ、閉鎖壁は、バネによって膜に押し付けられる。
【００３９】
バネによって加えられる最大圧力は、膜の機械抵抗以下とするべきである。
【００４０】
図４においてバネは閉鎖壁（３）の片側に位置しているが、他の実施形態において、バネはまた反対側つまり容器の側に位置して膜に対して閉鎖壁を引っ張ることも可能である。
【００４１】
図５に示す代替的な具現例おいて、閉鎖壁（３）は、その形を膜に適合させるために変形することが可能である。
【００４２】
また壁の適用は、蒸発プロセスを減少させるが停止させないために、図６に示すような進行的な方法によって行うことができる。この方法によって、装置の性能を調整することができる。図６において、閉鎖壁の移動によって、膜が閉鎖壁によって完全に覆われる閉鎖位置（図６ｄ）、膜が空気に接触する開放位置（図６ａ）、および膜が部分的に閉鎖壁によって覆われる中間位置（図６ｂ、６ｃ）が確立されることが理解できる。それにより揮発性物質の蒸発度合いの調整が達成される。
【００４３】
図７に示す本発明の好ましい実施形態は、２つのカートリッジを有する芳香装置に関する。
【００４４】
装置は、２つ以上の蒸気透過性材料の帯（２、２’）を有し、適温の空気の流れが二つ以上の揮発性物質の蒸発を促進し、少なくとも二つのタイプの揮発性物質が前記空気の流れにさらされている前記蒸気透過性材料（２、２’）に接触するための二つ以上の容器（１、１’）を備える。
【００４５】
また装置は、前記容器（１、１’）および前記蒸気透過性の帯（２、２’）を支えるケース（７）（図８参照）を備え、それらを前記空気の流れの影響下におく。また装置は、どちらかの蒸気透過性の帯（２、２’）に作用する空気の流れを許可、または停止することによって蒸発させる揮発性物質を選択する手段（６）を有する。揮発性物質を選択するための前記手段（６）は、相互接続された二つの閉鎖壁（３、３’）から成り、ひとつの壁が対応する透過性の帯を閉じている場合、他方の壁は帯に接近可能なまま、対応する透過性の帯から離れ間隔を空けるという方法をとってもよい。
【００４６】
特に揮発性物質を選択するための手段（６）を形成する２つの閉鎖壁（３、３’）は、間に角度（α）を形成し、枢軸点（８）にて相互接続されている。透過性の膜（２、２’）のひとつを選択的に閉じるために、閉鎖壁（３、３’）は枢軸点（８）に対して枢動可能に取り付けられている。
【００４７】
また各閉鎖壁（３、３’）の形は、関連した膜（２、２’）の変形の可能性を補うように適合される。この場合、閉鎖壁内面に設けられた湾曲した支台または突起（３９）によって達成される。
【００４８】
前記空気の流れは、前記物質の蒸発を促進するのに適した温度であることが好ましい。適温とは、物質の蒸発の度合いを加速する効果を有する任意の温度であると理解されるべきである。
【００４９】
蒸気透過性の帯は、芳香装置を形成している揮発性物質のための前記容器（１、１’）に接着した液体不透過性蒸発膜であり、各帯のひとつの面は、それぞれの揮発性物質に部分的に直接接触し、かつ他の面は部分的に周囲の環境に直接接触している。揮発性物質は、芳香性物質が好ましいが、他のタイプの特性の物質、例えば殺虫剤なども使用できる。
【００５０】
芳香選択手段（６）は、空気の流れと透過性帯の外面との間に配置される。
【００５１】
装置は、例えば電動車の通気出口（１０）または空調装置の通気出口など、通気装置の出口の格子などの固定構造に固定する手段（例えば図８のフック（９））が補足される。
【００５２】
このような場合、前述の空気の流れは車の通気出口、または空調装置から来る。
【００５３】
フック（９）は、いくつかの位置（例えば０°、４５°、９０°、１３５°、１８０°）に対応する爪によって装置を０°から３６０°の位置に配置することができる。
【００５４】
図８に見られるように、本発明により非常に単純な、それゆえ非常に低コストな蒸発装置が得られ、それにより装置は使い捨てとして使用し処分することができる。別の方法としては、揮発性物質が消費された場合に芳香装置（１１）を交換するために、前記ケース（７）を形成している部品を開くことができる。
【００５５】
図８を見ると、本発明のひとつの好ましい実施形態において、蒸発装置は、液体状態が好ましい蒸発させる揮発性物質を囲む二つの独立した容器（１、１’）によって形成された芳香装置（１１）を備えていることがわかる。容器（１、１’）は、蒸発膜（２、２’）によって密封するように封じられ、各揮発性物質は、流出を防ぐが蒸気を透過するため液体は蒸発することができる液体不透過性の膜（２、２’）それぞれの内面の大部分に直接接触する。容器（１、１’）は熱成形されたプラスチック材料から作られる。
【００５６】
保護帯（２５）は、装置を使用する前に物質が蒸発するのを防ぐために膜（２、２’）の外側の面に配置され、この目的のために前記帯は、容易に取り外し可能であり、装置の外側に帯の一部分が延在して、そこにアクセスすることが可能となるために前面部を取り除いた後の取り外しを容易にするためのタブを形成している。製品の外側からハウジング（７）を空けずに保護帯（２５）を容易に取り除くことができるように、この保護帯（２５）は、部分的に折り重ねられ、かつ一側に突出していなければならない。
【００５７】
図８の好ましい実施形態において、装置はハウジング（７）と、２つの閉鎖壁（３、３’）によって形成された芳香切替器（２６）とを備える。
【００５８】
切替器は、（図１３のつまみ３４に類似した）レバーを有して外側に突出し、これにより物質Ａの蒸発を設定、物質Ｂの蒸発を設定、または二つの物質の混合の度合いを設定することができる。このような制御を可能にするために、切替器の内側の部分は、空気の流れと透過性帯の外面との間に配置されている。
【００５９】
ハウジング（７）は、その上部が下部に対してスナップ、もしくはそれとは異なったカップリング、または他の慣用的な手段によって閉じられ、図に見られるように芳香装置（１１）は、アセンブリの中に入れられる。装置が使い捨て装置、すなわち使用して処分する装置である場合。前記結合は固定することができる。芳香剤液を使い果たした場合に芳香装置を予備品に交換できるように、任意に結合は取り外し可能とすることができる。ハウジング（７）の前面部は穴（２７、２８）を有して設けられ、その穴を通じて芳香装置（１１）の容器（１、１’）を見ることができる。
【００６０】
装置の外観を拡張するために、容器は透明にすることができ、かつ内部に収容されている揮発性物質に、例えば前記各物質が放出する香に関連した色などを着けることができる。
【００６１】
装置は熱い気流の影響を受けやすい状況にて使用することが特に示されるため、７５℃から８０℃の間の温度に耐えられるように、製作材料、特に容器（１、１’）の材料が注意深く選択される。
【００６２】
透過性の帯に接触している切替器（２６）の表面、または使用者による切替器（２６）の操作によって透過性の帯に接触することが予定される切替器（２６）の表面は凸状であり、そのため切替器の表面は、容器内部に含まれる液体の蒸発により容器内部の圧力が減少することによって使用中に最初の平面形状を失った、それぞれの容器前面の凹状の透過性帯にほとんど一致する。
【００６３】
装置は、例えば図８ｆに示すような車の通気装置の空気出口の格子（１０）などの固定構造に固定するための固定手段（９）を備えており、そのため装置は生成された気流の中にあり、気流の一部は装置を通過する。類似の方法にて装置を空調装置に取り付けることができる。
【００６４】
装置は、前記格子に固定するための把持装置のように作用する柔軟なタブがある固定手段が補足され、前記格子にしっかりと結合することができる。弾性タブは中間部分に一体化し、穴を通って後部（８）を通過し、調整の間この中間部分は固定されたままであり、後部は調整するための回転する部品である。
【００６５】
蒸発した製品は、装置の側方に向かって３６０°に拡散され、このために、蒸発させる製品を流すように気流が入る、または循環することができる少なくともひとつのサイドスロット、および後ろの窓を有する。
【００６６】
目盛尺によって、使用者は窓の開口度合いを確認することができるため、各芳香の蒸発の度合いを最大と最小との間で選択することができる。
【００６７】
装置は水平および垂直の格子に配置することができる。
【００６８】
この好ましい実施形態において、装置の中にて、膜は空気の流れの送風方向に対し横切る配置をとることがわかる。しかし、他の可能な実施形態においては、膜の前記配置は、空気の流れに対して一定の傾きを持つことができる。
【００６９】
図９の実施形態において、また膜の蒸発面は膜表面に対して硬く平らな壁を取り付けることによって閉じられるが、壁の移動は電磁駆動部（１２）によって行われる。
【００７０】
図９の装置は、空気通路（１４）を内部に形成するケース（１５）備え、ファン（１３）は強制流または空気（１７）を生成する。ファン（１３）は、空気通路（１４）の一端に配置され、通路（１４）の他端には開口部（２９）と、前記開口部（２９）に配置された空気用のグリッド（１９）とがある。膜（２１）を有する揮発性物質の容器（２０）は、前記開口部に配置され、膜は強制流または空気（１７）を受ける。閉鎖壁（１８）は、前記開口部（２９）を閉じる、および開くために設けられ、これによって、物質を蒸発させるために膜が空気の流れを受けること、または膜を閉じて前記蒸発を避けることができる。
【００７１】
前記閉鎖壁（１８）は移動要素、この場合は前記開口部（２９）を閉じる、および開くためのソレノイドまたは電磁駆動部（１２）によって動作する。
【００７２】
カム要素（２３）は、軸（２２）に枢動可能に取り付けられ、閉鎖壁（１８）はカムの一部分に接合している。電磁駆動部（１２）の作動要素（２５）は、カムを動かすために移動し、それにより前記軸に対する閉鎖壁の枢動を生ずる。カム要素（２３）は、固定点（２４）に接続された戻しバネ（１６）によって付勢される。
【００７３】
図１１の場合、閉鎖壁（３）は膜（２）の縦軸（Ａ）に沿って縦方向に移動するように配置されている。閉鎖壁は、ねじ機構によって膜（２）に対して前後に動くように移動する。閉鎖壁は手動、または適した作動機構によって動くことができる。閉鎖壁（３）は、シリンダー（３０）内に収容され、前記シリンダーの内壁にねじ込まれている。
【００７４】
図１２の実施形態において、閉鎖壁は関節式の四辺形手段によって膜の軸（Ａ）に対して横断するように移動するように配置されている。閉鎖壁は、前記閉鎖壁の第一および第二関節点（３１、３１’）にて第一および第二腕（３３、３３’）の終端に接合される。前記腕（３３、３３’）の第二終端（３２、３２’）は固定点に関節式に接合される。したがって閉鎖壁は、二つの関節点（３２、３２’）に対して枢動可能に取り付けられる。
【００７５】
図１３、１４および１５の実施形態において、図８に示したものに類似した芳香切替要素が組み込まれている。図１３〜１５の装置は、装置のケース（７）に固定された、共通かつ平らなプラスチックプレート（３７）から突出した第一および第二容器（１、１’）を有する２つの容器を備える。
【００７６】
芳香選択要素（２６）は、第一閉鎖壁（３）および第二閉鎖壁（３’）から成り、双方はまっすぐな棒（３６）によって形成された枢軸点（８）に接合されている。壁（３、３’）はその間に前記棒（３６）に対する角度を規定する。
【００７７】
棒（３６）は、第一および第二終端（３５，３７）にてケース（７）に回転可能に取り付けられ、図１５に最もよく表れているように選択的に容器（１，１’）のひとつを閉じるために、第一および第二壁（３，３’）は配置されている。つまみ（３４）は、棒（３６）の一端に接合され、かつケーシング（７）外部に突出しており、対応する閉鎖壁を容器の入口に設置することによって容器（１，１’）のひとつを閉じるために、使用者は手動で棒（３６）を回転させることができ、それによって所望の芳香または蒸発させる製品を選択することができる。
【００７８】
本発明の他の態様は、二つの揮発性物質の蒸発を調整する方法に関し、この方法は、前記揮発性物質をそれぞれ蒸気透過性材料の二つの帯に接触させて置くステップと、空気の流れを前記帯に発射するステップと、それぞれの帯に作用する空気の流れを制御する、結果としては環境に発射される各蒸発物質の量を制御するステップとを備える。
【００７９】
前記帯に作用する前記空気の流れの制御は、それぞれの帯に作用する前に空気の流れが通過すべき区域を変更することによって行われる。
【００８０】
空気の流れの通路の区域の変更は、二つの部品を相対的に互いに動かし、一つの部品がそれぞれの前記帯のより大きいまたはより少ない範囲を覆い、これによって空気が流れることができる区域を減らし、または増やすことにより行うことができる。
【００８１】
また物質の蒸発の度合いは、自然、または強制的な方法のどちらかにより、空気の流れの温度を制御することによって調整される。
【００８２】
この説明および一連の図において、本発明の目的の範囲内にて説明された本発明の実施形態は、多くの方法にて組合せ可能であるということが、当業者には理解できるだろう。いくつかの好ましい実施形態に関して本発明は説明されたが、本発明の特許請求の範囲を逸脱することなく前記好ましい実施形態に変化を採り入れることができることは当業者には明らかであろう。
【符号の説明】
【００８３】
１  容器
２  膜
２  帯
３  閉鎖壁
４  弾性要素
５  固定要素
６  手段
７  ケーシング
８  枢軸点
９  固定手段
１０  格子
１１  芳香装置
１２  電磁駆動部
１３  ファン
１４  空気通路
１５  ケーシング
１６  戻しバネ
１７  空気
１８  閉鎖壁
１９  グリッド
２０  容器
２１  膜
２２  軸
２３  カム要素
２４  固定点
２５  作動要素
２６  切替器
２７  穴
２８  穴
２９  開口部
３０  シリンダー
【図１】
0005680408.tif 000002
【図２】
0005680408.tif 000003
【図３（ａ）】
0005680408.tif 000004
【図３（ｂ）】
0005680408.tif 000005
【図３（ｃ）】
0005680408.tif 000006
【図４】
0005680408.tif 000007
【図５】
0005680408.tif 000008
【図６】
0005680408.tif 000009
【図７（ａ）】
0005680408.tif 000010
【図７（ｂ）】
0005680408.tif 000011
【図８（ａ）】
0005680408.tif 000012
【図８（ｂ）】
0005680408.tif 000013
【図８（ｃ）】
0005680408.tif 000014
【図８（ｄ）】
0005680408.tif 000015
【図８（ｅ）】
0005680408.tif 000016
【図８（ｆ）】
0005680408.tif 000017
【図９（ａ）】
0005680408.tif 000018
【図９（ｂ）】
0005680408.tif 000019
【図１０】
0005680408.tif 000020
【図１１】
0005680408.tif 000021
【図１２】
0005680408.tif 000022
【図１３】
0005680408.tif 000023
【図１４】
0005680408.tif 000024
【図１５】
0005680408.tif 000025